(57)【要約】【課題】ハウス本体内の栽培植物に十分な日射量を与えることができる農業用ハウスの採光構造を提供する。【解決手段】屋根面２からハウス本体１内に入射した太陽光Ｌを上側ミラー４及び／又は下側ミラー５により栽培ベッド３に向けて反射することができるため、屋根面２を透過して栽培ベッド３に照射される一般的な太陽光Ｌに加えて、本来栽培ベッド３に向かわない方向性で入射する太陽光Ｌも栽培ベッド３に向けることができ、十分な日射量を栽培ベッド３に与えることができる。【選択図】        図２
2020178647.tif 000002
【特許請求の範囲】
【請求項１】
透光性を有する部材で全面が覆われたハウス本体を有し、該ハウス本体の内部に東西方向に沿う栽培ベッドが南北方向に複数並んだ状態で設けられている農業用ハウスの採光構造であって、
前記ハウス本体の内部には、各栽培ベッドの上方にそれぞれ東西方向に沿う長尺状の上側ミラーと下側ミラーが上下二段に形成され、該上側ミラー及び下側ミラーがそれぞれ東西方向に沿う回転軸を中心に回転自在で、
上側ミラーと下側ミラーの回転角度がそれぞれ独立して制御され、
ハウス本体の屋根面から入射した太陽光を上側ミラー及び／又は下側ミラーにより栽培ベッドへ向けて反射可能であることを特徴とする農業用ハウスの採光構造。
【請求項２】
ハウス本体の屋根面が平面で且つ北側を高くした南向き状態で傾斜していることを特徴とする請求項１記載の農業用ハウスの採光構造。
【発明の詳細な説明】
【技術分野】
【０００１】
本発明は農業用ハウスの採光構造に関するものである。
【背景技術】
【０００２】
従来の農業用ハウスは全面が透明ガラスやビニールにより覆われたハウス本体を有しており、その内部で植物を栽培している。ハウス本体内の温度調整をするため、屋根面に開閉自在なカーテンを設け、そのカーテンによりハウス本体内へ入射する太陽光の量を調整していた。冬はハウス本体の温度を高めるために、カーテンを開けて屋根面を全面開放し、屋根面から太陽光を多く取り入れる。夏はハウス本体の温度上昇を防止するため、屋根面をカーテンで覆う（例えば、特許文献１参照）。
【先行技術文献】
【特許文献】
【０００３】
【特許文献１】特開２０１８−１９８５７９号公報
【発明の概要】
【発明が解決しようとする課題】
【０００４】
しかしながら、このような関連技術にあっては、冬においてカーテンを開けて屋根面の全面から太陽光を取り入れているものの、十分な日射量をハウス本体内に導入できない場合があった。すなわち、太陽から地上に降り注ぐ太陽光のうち、雲などにより反射される分、屋根面の表面で反射される分、屋根面の表面の汚れにより遮られる分などが失われ、植物の成長（光合成）に必要な十分な日射量を栽培植物に与えられない場合があった。
【０００５】
本発明は、このような関連技術に着目してなされたものであり、ハウス本体内の栽培植物に十分な日射量を与えることができる農業用ハウスの採光構造を提供することを目的としている。
【課題を解決するための手段】
【０００６】
本発明の第１の技術的側面によれば、透光性を有する部材で全面が覆われたハウス本体を有し、該ハウス本体の内部に東西方向に沿う栽培ベッドが南北方向に複数並んだ状態で設けられている農業用ハウスの採光構造であって、前記ハウス本体の内部には、各栽培ベッドの上方にそれぞれ東西方向に沿う長尺状の上側ミラーと下側ミラーが上下二段に形成され、該上側ミラー及び下側ミラーがそれぞれ東西方向に沿う回転軸を中心に回転自在で、上側ミラーと下側ミラーの回転角度がそれぞれ独立して制御され、ハウス本体の屋根面から入射した太陽光を上側ミラー及び／又は下側ミラーにより栽培ベッドへ向けて反射可能であることを特徴とする。
【０００７】
本発明の第２の技術的側面によれば、ハウス本体の屋根面が平面で且つ北側を高くした南向き状態で傾斜していることを特徴とする。
【発明の効果】
【０００８】
本発明の第１の技術的側面によれば、屋根面からハウス本体内に入射した太陽光を上側ミラー及び／又は下側ミラーにより栽培ベッドに向けて反射することができるため、屋根面を透過して栽培ベッドに照射される一般的な太陽光に加えて、本来栽培ベッドに向かわない方向性で入射する太陽光も栽培ベッドに向けることができ、十分な日射量を栽培ベッドに与えることができる。
【０００９】
本発明の第２の技術的側面によれば、屋根面が南向きに傾斜した平面状のため、太陽光の入射方向に対する屋根面の角度が大きくなり、屋根面で反射される太陽光の成分が少なくなる。また屋根面が平面状のため、屋根面の全面が同じ角度で太陽光に対することになり、屋根面から同じ量の太陽光を均等に導入して栽培ベッドに照射することができる。
【図面の簡単な説明】
【００１０】
【図１】農業用ハウスの斜視図。
【図２】農業用ハウスの断面図。
【図３】上側ミラー及び下側ミラーと栽培ベッドを示す斜視図。
【図４】上側ミラー及び下側ミラーと栽培ベッドを示す正面図。
【図５】太陽光を上側ミラー及び下側ミラーで反射しない状態を示す側面図。
【図６】太陽光を下側ミラーでのみ反射した状態を示す側面図。
【図７】太陽光を上側ミラー及び下側ミラーで反射した状態を示す側面図。
【発明を実施するための形態】
【００１１】
図１〜図７は本発明の好適な実施形態を示す図である。尚、東西南北の方向性は図１に示された通りである。
【００１２】
図１はハウス本体１を示す。ハウス本体１は全面が透明ガラスにより形成された構造をしている。ハウス本体１の屋根面２は北側を高くした状態で南向きに傾斜した平面状である。
【００１３】
ハウス本体１の内部には東西方向に沿う栽培ベッド３が南北方向に５列並んだ状態で設けられている。栽培ベッド３は苺栽培用で所定の高さを有している。
【００１４】
またハウス本体１の内部には更に、栽培ベッド３の上方で少し北側の位置に、栽培ベッド３と同様に東西方向に沿う長尺状の上側ミラー４と下側ミラー５が上下二段に形成されている。上側ミラー４と下側ミラー５とはそれぞれ上下一組で栽培ベッド３に対応して南北方向に５組設けられている。
【００１５】
上側ミラー４及び下側ミラー５はそれぞれ東西方向に沿う回転軸６、７を中央に有している。この回転軸６、７の両端は東西両側に立設された支柱８に支持されている。各回転軸６、７の一端にはモータ９、１０が設けられ、上側ミラー４及び下側ミラー５を回転軸６、７を中心にして正逆転方向に回転させることができる。栽培ベッド３には図示せぬ受光センサが設けられ、上側ミラー４及び下側ミラー５で反射された太陽光Ｌが栽培ベッド３に照射された状態で、その照度を検出することができる。
【００１６】
支柱８に設けられたモータ９、１０と図示せぬ受光センサはコントローラ１１に接続されている。コントローラ１１は、モータ９、１０の回転方向と回転量を制御することにより、上側ミラー４及び下側ミラー５の角度をそれぞれ太陽の高度に追従して変化させ、上側ミラー４及び下側ミラー５で反射された太陽光Ｌが最大照度で栽培ベッド３に当たるようにしている。
【００１７】
ハウス本体１の屋根面２が南向きに傾斜した平面状のため、太陽光Ｌの入射方向に対する屋根面２の角度が大きくなり、屋根面２で反射されて失われる太陽光Ｌの成分が少なくなる。また屋根面２が平面状のため、全ての屋根面２が同じ角度で太陽光Ｌに対することになり、同じ量の太陽光Ｌを均等に屋根面２の全面から導入して栽培ベッド３に照射することができる。もし屋根面２を円弧アーチ形や三角形にすると、太陽光に対する角度が屋根面の部分によって異なり、屋根面の表面で反射される太陽光の成分が相違するため、太陽光を均等にハウス本体内に導入できなくなる。
【００１８】
次に作用を説明する。
【００１９】
ある程度十分な日射量の太陽光Ｌが屋根面２を透過する場合は、図５に示すように、上側ミラー４及び下側ミラー５の角度をそれぞれ太陽光Ｌの入射角度に合わせて上側ミラー４及び下側ミラー５が太陽光Ｌの入射の邪魔にならないようにする。そうすることで、ハウス本体１内には十分な日射量の太陽光Ｌがハウス本体１内に取り入れられる。ハウス本体１内に取り入れられた太陽光Ｌは、そのまま直接、或いは、ハウス本体１内の構造物等で反射された後に栽培ベッド３に照射される。
【００２０】
屋根面２を透過する太陽光Ｌの日射量が少ない場合は、上側ミラー４か下側ミラー５のいずれか一方により太陽光Ｌを反射して栽培ベッド３に照射する。図６は下側ミラー５で反射した例である。このようにすることにより、日射量は少ないが屋根面２を透過して栽培ベッド３に照射される一般的な太陽光Ｌに加えて、本来栽培ベッド３に向かわない方向性で入射する太陽光Ｌも栽培ベッド３に向けることができ、十分な日射量の太陽光Ｌを栽培ベッド３に当てることができる。
【００２１】
屋根面２を透過する太陽光Ｌの日射量が更に少ない場合は、図７に示すように、上側ミラー４と下側ミラー５の両方で太陽光Ｌを反射して栽培ベッド３に照射する。このようにすることにより、屋根面２を透過して栽培ベッド３に照射される一般的な日射量に加えて、本来栽培ベッド３に入射しない方向性で入射する２系統の太陽光Ｌも幅広く反射して栽培ベッド３に向けることができ、十分な日射量の太陽光Ｌを栽培ベッド３に当てることができる。
【００２２】
すなわち図７には図示されていないが、上側ミラー４及び下側ミラー５で反射される以外にも、日射量は少ないが屋根面２を透過してハウス本体１に内に入り込み、栽培ベッド３に直接或いはハウス本体１内の構造物等に反射されて照射される太陽光Ｌもあり、それに上側ミラー４及び下側ミラー５で反射された太陽光Ｌが加わるため、ハウス本体１内に入射する本来の日射量が小さくても栽培ベッド３に対して十分な日射量を確保することができる。
【符号の説明】
【００２３】
１  ハウス本体
２  屋根面
３  栽培ベッド
４  上側ミラー
５  下側ミラー
６、７  回転軸
Ｌ  太陽光
【図１】
2020178647.tif 000003
【図２】
2020178647.tif 000004
【図３】
2020178647.tif 000005
【図４】
2020178647.tif 000006
【図５】
2020178647.tif 000007
【図６】
2020178647.tif 000008
【図７】
2020178647.tif 000009